(57)【要約】【課題】管理センターからの通行止め情報の入力に基づき、自動的に情報表示手段に情報を表示するようにしたものは、情報の表示手段が文字だけというように同じものの場合は、単一のプログラムで複数の表示手段に表示させることが可能である。しかしながら、情報を送信する先方が、文字、音声又は電話のように互いに異質の表示手段となっていて単一のプログラムでは送信できず、それぞれに対応できるプログラムを用意すると、送信に時間がかかり、速報性に欠ける。【解決手段】本発明に係る通行止め詳細情報提供システムは、交通中央システム(1)と、表示手段(2)を備えている。該交通中央システム(1)は、情報の入力装置(11)と、入力された情報の変配装置(12)を備えている。そして、該変配装置(12)は入力された情報を、該表示手段(2)で表示できるように自動的に変換して該表示手段(2)に配信する機能を備えている。【選択図】図１
2014232423.tif 000002
【特許請求の範囲】
【請求項１】
交通中央システム(1)と、表示手段(2)を備え、
該交通中央システム(1)は、情報の入力装置(11)と、入力された情報の変配装置(12)を備え、
該変配装置(12)は入力された情報から優先的に提供する情報を判断し、該表示手段(2)で表示できるように自動的に変換して該表示手段(2)に配信する機能を備えている
ことを特徴とする通行止め詳細情報提供システム。
【請求項２】
該入力装置(11)は、日時、路線、区間、ＫＰ、上下線、通行止（事故、工事、地震、火災又は雨、風、雪等の気象状況等）等の通行に支障となる情報の入力形式が統一されており、該表示手段(2)が複数種類の場合、入力された情報は該変配装置(12)により各表示手段(2)で表示できるように自動的に変更して配信されるようになっている請求項１に記載の通行止め詳細情報提供システム。
【請求項３】
該変配装置(12)は変換した情報を情報中央(13)に送り、該情報中央(13)で該表示手段(2)の複数ある情報提供機器の個別選定及び現在情報提供中の情報との優先判断を行い、該表示手段に適合するフォーマットに変更して、該情報中央が管理する表示手段に所定の表示をさせる制御信号を送るようになっている請求項１又は２に記載の通行止め詳細情報提供システム。
【請求項４】
該表示手段(2)は情報板(21)、ハイウェイラジオ(22)、ハイウェイテレフォン(23)の内の一つ以上で、該変配装置(12)は入力された情報を該一つ以上の表示手段(2)用に変換して配信する機能を有している請求項１、２又は３に記載の通行止め詳細情報提供システム。
【請求項５】
該表示手段(2)は汎用性のある携帯電話(24)、パソコン(25)、カーナビ(26)の内の一つ以上で、該変配装置(12)は入力された情報を、該汎用性のある一つ以上の表示手段(2)がアクセスできるように、変換して配信する機能を有している請求項１、２又は３に記載の通行止め詳細情報提供システム。
【発明の詳細な説明】
【技術分野】
【０００１】
本発明は通行止め詳細情報提供システムに関し、情報をリアルタイムで提供することにより、待機中の運転者のイライラを解消し、走行中の運転者には事故の知らせることにより迂回路の選択余地を与え、あるいはこれから車を運転しようとする者に取り止めや変更経路の選択の自由を与えられるようにしたものである。
【背景技術】
【０００２】
高速道路等の交通事故情報又は通行止め情報についてのインターネット回線を利用した情報提供システムは知られている（特許文献１）。
【先行技術文献】
【特許文献】
【０００３】
【特許文献１】特開２０１０−０６６８６４号公報；段落０００１
【発明の概要】
【発明が解決しようとする課題】
【０００４】
特許文献１の情報提供システムでは、管理センター１０からの高速道路の事故情報又は通行止め情報の入力に基づき、自動的に顧客データに保存されている顧客メールアドレスにこの情報が入力されたことを送信できるようにプログラムされているので、単一のプログラムで同質の複数の顧客に対し送信が可能である。
【０００５】
しかしながら、情報を送信する先方が、文字、音声又は電話のように互いに異質の表示手段となっていると、単一のプログラムでは送信できない場合があり、それぞれに対応できるプログラムを用意する必要がある。
【課題を解決するための手段】
【０００６】
(請求項１) 本発明にかかる通行止め詳細情報提供システムは、交通中央システムと、表示手段を備えている。該交通中央システムは、情報の入力装置と、入力された情報の変配装置を備えている。そして、該変配装置は入力された情報から優先的に提供する情報を判断し、該表示手段で表示できるように自動変換して該表示手段に配信する機能を備えている。
【０００７】
この通行止め詳細情報提供システムの交通中央システムでは事故車、走行車両、道路状況の巡回監視車等の運転者、地域住民等から情報を得た場合、担当者がこの情報を入力装置に入力する。入力された情報は表示手段に表示できるように、自動的に変配装置により変更されて表示手段に送られ、該表示手段はこの情報によって決められた表示をする。
【０００８】
該変配装置に入力される情報としては、日時、路線、区間、ＫＰ、上下線、通行止等の事象や、自動収集情報となる気象、交通量、地震等、各種多様なものが含まれる。
従来のやり方だと、表示手段が単一種類の場合、例えば文字表示なら、その表示を指示する単一の情報を配信することで、各表示手段の表示を行わせられる。しかし、表示手段が文字（図形、記号を含む）、音声（ラジオ、ハイウェイテレフォン）あるいは画像（携帯電話、パソコン）のように、複数種類の場合、それぞれ異なった形式の入力装置を備えているので、各別に入力する必要があり、リアルタイムの情報提供が困難であった。この発明によれば、これらの困難が解消されている。
【０００９】
（請求項２）該入力装置は、日時、路線、区間、ＫＰ、上下線、通行止（事故、工事、地震、火災又は雨、風、雪等の気象状況等）等の通行に支障となる情報の入力形式が統一されており、該表示手段が複数種類の場合、入力された情報は該変配装置により各表示手段で表示できるように自動的に変更して配信されるようになっていてもよい。
こうすると、一括入力が可能なので、表示手段が複数の種類、例えば文字、音声による表示、あるいは道路電話による応答となっていても、該変配装置によりそれぞれの種類の表示に適合したフォーマットに変更して表示手段に送信し、変換や配信を速やかに行って、表示手段による表示を迅速かつ確実に行える。
【００１０】
（請求項３）該変配装置は変換した情報を情報中央に送り、該情報中央で該表示手段の複数ある情報提供機器の個別選定及び現在情報提供中の情報との優先判断を行い、該表示手段に適合するフォーマットに変更して、該情報中央が管理する表示手段に所定の表示をさせる制御信号を送るようになっていてもよい。
変配装置から出力された情報をそのまま表示手段に送っても、この表示手段が別内容で情報提供中であったりすると、情報が輻輳して特定の表示をさせることができない場合がある。
そこで、変配装置から出力された情報を一旦情報中央に送り、この情報中央の判断に基づき、表示手段に適合するフォーマットに変更してこの情報中央が管理する表示手段に制御信号を送らせることによって、変配装置から出力された信号を表示手段に対する制御信号とすることができる。
【００１１】
（請求項４）該表示手段は情報板、ハイウェイラジオ、ハイウェイテレフォンの内の一つ以上で、該変配装置は入力された情報を該一つ以上の表示手段用に変換して配信する機能を有していてもよい。
こうすると、表示手段は情報板、ハイウェイラジオ、ハイウェイテレフォンの内の一つ、二つあるいは三つを、必要に応じて自由に表示できる。
【００１２】
（請求項５）該表示手段は汎用性のある携帯電話、パソコン、カーナビの内の一つ以上で、該変配装置は入力された情報を、該汎用性のある一つ以上の表示手段がアクセスできるように、変換して配信する機能を有していてもよい。
こうすると、通行止め情報を知りたい人は、自己の所有する携帯電話、パソコン、カーナビの中の一つから表示手段にアクセスすることにより、いつでも自由にその情報を取得できる。
【発明の効果】
【００１３】
本発明に係る通行止め詳細情報提供システムによれば、交通中央システムでは事故車、走行車両、道路状況の巡回監視車等の運転者から得た情報、あるいは地域住民等から得た各種多様な情報を、担当者が入力装置に入力すると、入力された情報は表示手段に表示できるように、自動的に変配装置により変更されて表示手段に送られるので、該表示手段はこの情報によって決められた表示をし、情報のリアルタイムの表示が可能となる。
従来のやり方だと、表示手段が単一種類の場合、例えば文字表示なら、その表示を指示する単一の情報を配信することで、各表示手段の表示を行わせられる。しかし、表示手段が文字（図形、記号を含む）、音声（ラジオ、ハイウェイテレフォン）あるいは画像（携帯電話、パソコン）のように、複数種類の場合、それぞれ異なった形式の入力装置を備えているので、各別に入力する必要があり、リアルタイムの情報提供が困難であった。この発明によれば、これらの困難が解消されている。
【００１４】
請求項２によれば、一括入力が可能なので、表示手段が複数の種類、例えば文字、音声による表示となっていても、該変配装置によりそれぞれの種類の表示に適合したフォーマットに変更して表示手段に送信し、変換や配信を速やかに行って、表示手段による表示を迅速かつ確実に行える。
【００１５】
請求項３によれば、変配装置から出力された情報は、これをそのまま表示手段に送ってもこの表示手段に特定の表示をさせることができない場合がある。そこで、このような場合に適合させるように、変配装置から出力された情報を一旦情報中央に送り、この情報中央でこの表示手段に適合するフォーマットに変更してこの情報中央が管理する表示手段に制御信号を送らせている。これによって、変配装置から出力された信号を表示手段に対する制御信号とすることができる。
【００１６】
請求項４によれば、表示手段は情報板、ハイウェイラジオ、ハイウェイテレフォンの内の一つ、二つあるいは三つを、必要に応じて自由に表示できる。
【００１７】
請求項５によれば、通行止め情報を知りたい人は、自己の所有する携帯電話、パソコン、カーナビの中の一つから表示手段にアクセスすることにより、いつでも自由にその情報を取得できる。
【図面の簡単な説明】
【００１８】
【図１】本発明にかかる通行止め詳細情報提供システムの具体例の概念的な系統図で、受信先を情報板、ハイウェイラジオ、ハイウェイテレフォンにした場合を示す。
【図２】同じく受信先をパソコン、携帯電話、カーナビにした場合を示す。
【図３】従来の通行止め詳細情報提供システムの概念的な系統図で、受信先を情報板、ハイウェイラジオ、ハイウェイテレフォンにした場合を示す。
【発明を実施するための形態】
【００１９】
以下に、本発明にかかる通行止め詳細情報提供システムの実施の形態を、図面を参照して説明する。
【００２０】
（請求項１）図１及び図２で、この通行止め詳細情報提供システムは交通中央システム１と、表示手段２を備えている。この交通中央システム１は、情報の入力装置１１と、入力された情報の変配装置１２を備えている。そして、この変配装置１２は入力された情報を、表示手段２で表示できるように自動的に変換して表示手段２に配信する機能を備えている。
【００２１】
交通中央システム１では事故車、走行車両、道路状況の巡回監視車等の運転者、地域住民等から情報を得た場合、担当者がこの情報を入力装置１１に入力する。入力された情報は表示手段２に表示できるように、自動的に変配装置１２により変更されて表示手段２に送られ、表示手段２はこの情報によって決められた表示をする。
【００２２】
表示手段２が単一種類の場合、例えば文字表示だけなら、各表示手段２にその表示を指示する単一の情報を配信すれば足りる。しかし、情報板による文字表示、ハイウェイラジオによるや音声表示、あるいはハイウェイテレフォンによる音声表示のように、表示手段２が複数種類の場合、それぞれが異なった形式の入力装置を備えているので、図３に示すように、各別に入力する必要があり、リアルタイムの情報提供が困難であった。
【００２３】
この発明によれば、入力装置１１に得られた情報を入力するだけで、変配装置１２が自動的に各別の入力装置に適合する信号を送れるように変配するので、情報の転送を即時化でき、リアルタイムの情報提供ができるようになった。
【００２４】
（請求項２）入力装置１１は、日時、路線、区間、ＫＰ、上下線、通行止（事故、工事、地震、火災又は雨、風、雪等の気象状況等）等の通行に支障となる情報の入力形式が統一されており、表示手段２が複数種類の場合、入力された情報は変配装置１２により各表示手段２で表示できるように自動的に変更して配信されるようになっている。
この場合、各種情報の一括入力が可能なので、表示手段２が複数の種類、例えば文字や音声による表示、あるいは道路電話となっていても、変配装置１２によりそれぞれの種類の表示に適合したフォーマットに変更して表示手段２に送信し、変換や配信を速やかに行って、表示手段２による表示を迅速かつ確実に行える。
【００２５】
（請求項３）変配装置１２は変換した情報を情報中央１３に送り、この情報中央１３で表示手段２の複数ある情報提供機器の個別選定及び現在情報提供中の情報との優先判断を行い、表示手段２に適合するフォーマットに変更して、この情報中央１３が管理する表示手段２に所定の表示をさせる制御信号を送るようになっている。
変配装置１２から出力された情報は、これをそのまま表示手段２に送ってもこの表示手段２に特定の表示をさせることができない場合がある。そこで、このような場合に適合させるように、変配装置１２から出力された情報を一旦情報中央１３に送り、この情報中央１３でこの表示手段に適合するフォーマットに変更してこの情報中央１３が管理する表示手段２に制御信号を送らせている。これによって、変配装置１２から出力された信号を表示手段２に対する制御信号とすることができる。
【００２６】
（請求項４）表示手段２は情報板２１、ハイウェイラジオ２２、ハイウェイテレフォン２３の内の一つ以上で、変配装置１２は入力された情報を一つ以上の表示手段２用に変換して配信する機能を有している。
この場合、表示手段は情報板２１、ハイウェイラジオ２２、ハイウェイテレフォン２３の内の一つ、二つあるいは三つを、必要に応じて自由に表示できる。
【００２７】
（請求項５）表示手段２は汎用性のある携帯電話２４、パソコン２５、カーナビ２６の内の一つ以上で、変配装置１２は入力された情報を、汎用性のある一つ以上の表示手段２がアクセスできるように、変換して配信する機能を有している。
この場合、通行止め情報を知りたい人は、自己の所有する携帯電話２４、パソコン２５、カーナビ２６の中の一つから表示手段２にアクセスすることにより、いつでも自由にその情報を取得できる。
【符号の説明】
【００２８】
１        交通中央システム
２        表示手段
１１      入力装置
１２      変配装置
１３      情報中央
２１      情報板
２２      ハイウェイラジオ
２３      ハイウェイテレフォン
２４      携帯電話
２５      パソコン
２６      カーナビ
【図１】
2014232423.tif 000003
【図２】
2014232423.tif 000004
【図３】
2014232423.tif 000005